【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
集積回路のノードにおけるディジタル信号（ＰＡＤ）の遷移エッジのスルー・レートを低減する方法であって、
前記ノードと電圧源の間に、第１の閾値電圧（ＶN_LV_TH、ＶP_LV_TH）によって特徴付けられる第１の切り換え可能な導電性デバイス（ＮLV、ＰLV）を接続するステップであって、該第１の切り換え可能な導電性デバイスは、第１の入力信号（ＤＡＴＡ’）に応答して、前記第１の閾値電圧にほぼ等しいかそれより大きい電圧だけ該第１の入力信号が前記電圧源からオフセットされる場合は、該電圧源から前記ノードへの電流の導電を可能にし、該第１の閾値電圧より小さい電圧だけ該第１の入力信号が該電圧源からオフセットされる場合には、該電流の導電を不可能にする、ステップ（５２）と、
前記ノードと前記電圧源の間に、前記第１の閾値電圧とは異なる第２の閾値電圧（ＶN_HV_TH、ＶP_HV_TH）によって特徴づけられる第２の切り換え可能な導電性デバイス（ＮHV、ＰHV）を接続するステップであって、該第２の切り換え可能な導電性デバイスは、第２の入力信号（ＤＡＴＡ’）に応答して、前記第２の閾値電圧にほぼ等しいかそれより大きい電圧だけ該第２の入力信号が前記電圧源からオフセットされる場合には、該電圧源から前記ノードへの電流の導電を可能にし、該第２の閾値電圧より小さい電圧だけ該第２の入力信号が該電圧源からオフセットされる場合には、該電流の導電を不可能にする、ステップ（５４）と、
前記第１の切り換え可能な導電性デバイスの前記第１の入力信号としておよび前記第２の切り換え可能な導電性デバイスの前記第２の入力信号として、駆動信号（ＤＡＴＡ’）を接続するステップ（５６）と、
を含む、方法。
【請求項２】
前記ノードと前記電圧ソースの間に、前記第１の閾値電圧および前記第２の閾値電圧とは異なる閾値電圧（ＶTH）であって、互いに異なる閾値電圧（ＶTH）によって特徴づけられた１つ以上の追加の切り換え可能な導電性デバイス（１３０、１４０）を接続し、該１つ以上の追加の切り換え可能な導電性デバイスのそれぞれは、対応する入力信号に応答して、該閾値電圧にほぼ等しいかそれより大きい電圧だけ該入力信号が前記電圧源からオフセットされる場合には、該電圧源から該ノードへの電流の導電を可能にし、該閾値電圧より小さい電圧だけ該入力信号が前記電圧源からオフセットされる場合には、該電流の導電を不可能にする、ステップと、
前記１つ以上の追加の切り換え可能な導電性デバイスの前記スイッチの入力信号として、前記駆動信号を接続するステップと、
を含む、請求項１に記載の方法。
【請求項３】
集積回路のノードにおけるディジタル信号（ＰＡＤ）の遷移エッジのスルー・レートを低減する装置であって、
第１の閾値電圧（ＶN_LV_TH、ＶP_LV_TH）によって特徴付けられる、前記ノードと電圧源の間に接続された第１の切り換え可能な導電性デバイス（ＮLV、ＰLV）であって、駆動信号（ＤＡＴＡ’）に応答し、前記第１の閾値電圧にほぼ等しいかそれより大きい電圧だけ該駆動信号が前記電圧源からオフセットされる場合には、該電圧源から前記ノードへの電流の導電を可能にし、該第１の閾値電圧より小さい電圧だけ該駆動信号が該電圧源からオフセットされる場合には、該電流の導電を不可能にする、第１の切り換え可能な導電性デバイスと、
前記第１の閾値電圧とは異なる第２の閾値電圧（ＶN_HV_TH、ＶP_HV_TH）によって特徴づけられる、前記ノードと前記電圧源の間に接続された第２の切り換え可能な導電性デバイス（ＮHV、ＰHV）であって、前記駆動信号に応答し、前記第２の閾値電圧にほぼ等しいかそれより大きい電圧だけ該駆動信号が前記電圧源からオフセットされる場合には、該電圧源から前記ノードへの電流の導電を可能にし、前記第２の閾値電圧より小さい電圧だけ該駆動信号が該電圧源からオフセットされる場合には、該電流の導電を不可能にする、第２の切り換え可能な導電性デバイスと、
を備える装置。
【請求項４】
前記第１の閾値電圧及び前記第２の閾値電圧とは異なる閾値電圧（ＶTH）であって、互いに異なる閾値電圧（ＶTH）によって特徴づけられる、前記ノードと前記電圧限の間に接続された１つ以上の追加の切り換え可能な導電性デバイス（１３０、１４０）であって、前記駆動信号に応答して、前記閾値電圧にほぼ等しいかそれより大きい電圧だけ該駆動信号が前記電圧源からオフセットされる場合には、該電圧源から前記ノードへの電流の導電を可能にし、前記閾値電圧より小さい電圧だけ該駆動信号が前記電圧源からオフセットされる場合には、該電流の導電を不可能にする、１つ以上の追加の切り換え可能な導電性デバイスをさらに備える、
請求項３に記載の装置。
【請求項５】
前記第１の切り換え可能な導電性デバイス（ＮLV、ＰLV）と前記第２の切り換え可能な導電性デバイス（ＮHV、ＰHV）は、電界効果トランジスタ（ＦＥＴ）を含む、
請求項３または４に記載の装置。
【請求項６】
集積回路のノードにおけるディジタル信号（ＰＡＤ）の遷移エッジのスルー・レートを制御する方法であって、
第１の閾値電圧（ＶN_LV_TH、ＶP_LV_TH）によって特徴付けられる、前記ノードと電圧源（ＶDD、グラウンド）の間に接続された第１の切り換え可能な導電性デバイス（ＮLV、ＰLV）を、駆動信号を用いて駆動するステップであって、該第１の切り換え可能な導電性デバイスは、該駆動信号に応答して、前記第１の閾値電圧にほぼ等しいかそれより大きい電圧だけ該駆動信号が前記電圧源からオフセットされる場合には、該電圧源から前記ノードへの電流の導電を可能にし、前記第１の閾値電圧より小さい電圧だけ該駆動信号が前記電圧源からオフセットされる場合には、該電流の導電を不可能にするステップと、
前記第１の閾値電圧とは異なる第２の閾値電圧（ＶN_HV_TH、ＶP_HV_TH）によって特徴づけられる、前記ノードと前記電圧源の間に接続された第２の切り換え可能な導電性デバイス（ＮHV、ＰHV）を、駆動信号を用いて駆動するステップであって、該第２の切り換え可能な導電性デバイスは、前記駆動信号に応答し、前記第２の閾値電圧にほぼ等しいかそれより大きい電圧だけ該駆動信号が前記電圧源からオフセットされる場合には、該電圧源から前記ノードへの電流の導電を可能にし、前記第２の閾値電圧より小さい電圧だけ該駆動信号が前記電圧源からオフセットされる場合には、該電流の導電を不可能にするステップと、
を含む、方法。
【請求項７】
集積回路のノードにおけるディジタル信号の遷移エッジのスルー・レートを制御する方法であって、
駆動電圧のレベルをモニタするステップ（１２）と、
前記レベルが第１の閾値電圧に到達したとき（１４）、前記ノードへの電流の導電を増大する、第１の増大ステップ（１６）と、
前記レベルが、次の予め定められた閾値電圧に到達したとき（１８）、前記ノードへの電流の導電を増大する、第２の増大ステップ（２０）と、
を含む、方法。
【請求項８】
１つ以上の追加の前記次の予め定められた閾値電圧について、前記第２の増大ステップを繰り返すことを含む、
請求項７に記載の方法。
【請求項９】
集積回路のノードにおけるディジタル信号の遷移エッジのスルー・レートを制御する方法であって、
駆動電圧のレベルをモニタするステップ（３２）と、
前記レベルが第１の閾値電圧に到達したとき（３４）、前記ノードへの電流の導電を減少する、第１の減少ステップ（３６）と、
前記レベルが、次の予め定められた閾値電圧に到達したとき（３８）、前記ノードへの電流の導電を減少する、第２の減少ステップ（４０）と、
を含む、方法。
【請求項１０】
１つ以上の追加の前記次の予め定められた閾値電圧について、前記第２の減少ステップを繰り返すことを含む、
請求項９に記載の方法。